(57)【要約】【課題】食卓等のテーブル面において光源の光の利用率を高め、光源の周囲をもキャラクタ等の光の有色あるいは無色模様を含め所要の明るさで投光するを可能にして、光源周囲の装飾性を高めるようにする。【解決手段】光源２から発する光をホルダー本体Ｐの放射状周囲へ照射すべく当該ホルダー本体Ｐ周囲に透光面部７を備える。透光面部７に対し、光透過性を有するキャラクタ、アニマル、フラワー、もしくは諸種の他のデザイン性を有する所要の模様を施すか、あるいはこの所要の模様を形成した無色性もしくは有色性の透明フイルム、または光透過性を有する有色性の非透明フィルムを貼設する。ホルダー本体Ｐには、光源２の位置する放射状周囲の内底面側と、カップ体Ｑを装着した上部開口側との間で、光源２の光を繰り返し反射して透光面部７側へ導光すべく一対の反射体８，９を設ける。【選択図】　　　図３
2004087160.tif 000002
【特許請求の範囲】
【請求項１】
無色透明・有色透明・非透明等の載置用物品を着脱自在に装着可能とする台座状のホルダー本体の内部に光源および光源用の電源を備え、光源から発する光をホルダー本体の放射状周囲へ照射すべく当該ホルダー本体周囲に透光面部を備えたことを特徴とする投影型照明装置。
【請求項２】
食卓等のテーブル面上に載置され、無色透明・有色透明・非透明のカップ体を着脱自在に装着可能とする台座状のホルダー本体の内部に光源および光源用の電源を備え、光源から発する光をホルダー本体の放射状周囲へ照射すべく当該ホルダー本体周囲に透光面部を備えたことを特徴とする投影型照明装置。
【請求項３】
透光面部に対し、光透過性を有するキャラクタ、アニマル、フラワー、もしくは諸種の他のデザイン性を有する所要の模様を形成した請求項１または２記載の投影型照明装置。
【請求項４】
透光面部に対し、光透過性を有するキャラクタ、アニマル、フラワー、もしくは諸種の他のデザイン性を有する所要の模様を形成した無色性もしくは有色性の透明フイルム、または光透過性を有する有色性の非透明フィルムを貼設した請求項１乃至３のいずれか記載の投影型照明装置。
【請求項５】
ホルダー本体には、光源の位置する放射状周囲の内底面側と、カップ体が装着される上部開口側との間で、光源の光を繰り返し反射させて透光面部側へ導光させるべく一対の反射体を設けた請求項１乃至４のいずれか記載の投影型照明装置。
【請求項６】
ホルダー本体の上部開口側の上側反射体には、デザイン性を有する所要形状の投影用開口部が形成されている請求項５記載の投影型照明装置。
【請求項７】
投影用開口部には、光透過性を有するキャラクタ、アニマル、フラワー、もしくは諸種の他のデザイン性を有する所要の模様を形成した無色性もしくは有色性の透明フイルム、または光透過性を有する有色性の非透明フィルムを貼設した請求項６記載の投影型照明装置。
【請求項８】
カップ体は、ホルダー本体に対し防水性のパッキン部材を介して水密嵌合状に装着されるものとした請求項１乃至７のいずれか記載の投影型照明装置。
【発明の詳細な説明】
【０００１】
【発明の属する技術分野】
本発明は、例えば飲料用カップを支持した状態で食卓における飾り照明器具、テーブル上の照明器具、テーブル面上もしくはテーブル上方側に鮮明な所定形状のシルエットを投影する投影器具等として利用され、この他に懐中電灯、広告照明用・飾り照明用等の照明器具、投影玩具等の投影器具としても利用可能にした投影型照明装置に関するものである。
【０００２】
【従来の技術】
従来、食卓のテーブル面上を上方側から照明する飾り照明器具としては、テーブルの真上に無色透明・有色透明・非透明等のガラス部材によって形成された電気照明式のランタン器具を吊掛配置させていた。また、食卓のテーブル面上に置かれる飾り照明器具としては、光源として例えば豆電球や蝋燭等を配置した台座に、例えばステンドグラス等の包囲形光透過部材を被せた構成となっている。
【０００３】
【発明が解決しようとする課題】
しかしながらこのような従来における飾り照明器具では、光源からの光によって食卓におけるテーブル面上全体を略均一に薄明かりの状態で照らすものであって、テーブル面に対して装飾性を高めることができないものであった。
【０００４】
そこで本発明は叙上のような従来存した諸事情に鑑み創出されたもので、例えば飲料を収容するカップを支持できるものとし、またカップを支持した状態で、食卓等のテーブル面において光源の光の利用率を高めると共に、光源の周囲をもキャラクタ等の光の有色あるいは無色模様を含め所要の明るさで投光することを可能にして、光源周囲の装飾性を高め、且つ他の一方向へも指向性のあるキャラクタ等の光の有色模様を投光することのできる投影型照明装置を提供することを目的とする。
【０００５】
【課題を解決するための手段】
上述した課題を達成するため、本発明にあっては、無色透明・有色透明・非透明等の載置用物品（Ｑ）を着脱自在に装着可能とする台座状のホルダー本体Ｐの内部に光源２および光源２用の電源３を備え、光源２から発する光をホルダー本体Ｐの放射状周囲へ照射すべく当該ホルダー本体Ｐ周囲に透光面部７を備えたものである。
食卓等のテーブル面Ｔ上に載置され、無色透明・有色透明・非透明のカップ体Ｑを着脱自在に装着可能とする台座状のホルダー本体Ｐの内部に光源２および光源２用の電源３を備え、光源２から発する光をホルダー本体Ｐの放射状周囲へ照射すべく当該ホルダー本体Ｐ周囲に透光面部７を備えたものである。
透光面部７に対し、光透過性を有するキャラクタ、アニマル、フラワー、もしくは諸種の他のデザイン性を有する所要の模様を形成したものとできる。
透光面部７に対し、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設した構成とすることができる。
ホルダー本体Ｐには、光源２の位置する放射状周囲の内底面側と、カップ体Ｑが装着される上部開口側との間で、光源２の光を繰り返し反射させて透光面部７側へ導光させるべく一対の反射体８，９を設けることができる。
ホルダー本体Ｐの上部開口側の上側反射体９には、デザイン性を有する所要形状の投影用開口部９Ａが形成された構成とすることができる。
投影用開口部９Ａには、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設した構成とすることができる。
カップ体Ｑは、ホルダー本体Ｐに対し防水性のパッキン部材１０を介して水密嵌合状に装着されるものとすることができる。
【０００６】
以上のように構成された本発明に係る投影型照明装置において、周囲に透光面部７を備え、諸種の載置用物品（Ｑ）を装着することが可能なホルダー本体Ｐは、光源２を発光させた際に、ホルダー本体Ｐの透光面部７内の明るさを増しながら、この増光された光が透光面部７を透過して外界の周囲の対象物に投光されるものとなって当該対象物に対し光の装飾性を付与させる。
周囲に透光面部７を備えたホルダー本体Ｐは、光源２を発光させた際に、当該光は一対の反射体８，９により内底面側と上部開口側との間で繰り返し反射されてホルダー本体Ｐの透光面部７内の明るさを増し、増光された光が透光面部７を透過して外界の周囲の対象物、例えば食卓等のテーブル面Ｔに投光されるものとなって食卓に光の装飾性を付与させる。
透光面部７に施された光透過性を有するキャラクタ、アニマル、フラワー、もしくは諸種の他のデザイン性を有する所要の模様を反映した模様の光も外界の対象物、例えば食卓等のテーブル面Ｔに映し出されて、この点からも外界の対象物に独特な光の装飾性を与える。
透光面部７に対し、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設した場合においても、上述と同様に外界の対象物に独特な光の装飾性を与える。
ホルダー本体Ｐの上部開口側の上側反射体９に施されたデザイン性を有する投影用開口部９Ａからも当該デザインに対応する光がカップ体Ｑを通して上方の対象物に対しある程度の指向性をもって照射されるため、例えば食卓における天井Ｓ側に対しデザイン性を有する所要形状の模様を映し出し、外界上方の対象物に独特な光の装飾性を付与させる。
投影用開口部９Ａに、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設して対応した場合においても、当該デザインに対応する光がカップ体Ｑを通して上方の対象物、例えば食卓における天井Ｓ側に対し更にカラフルでユニークなデザイン性を有する模様を映し出し、外界上方の対象物に独特な光の装飾性を付与させる。
カップ体Ｑが防水性のパッキン部材１０を介して水密嵌合状に装着されるホルダー本体Ｐは、カップ体Ｑ内部に入れられる液体が溢れてもホルダー本体Ｐ内部への液体の浸入を防止させる。
【０００７】
【発明の実施の形態】
以下図面を参照して本発明の実施の形態を説明すると、図において示される符号１は、主として食卓のテーブル面Ｔを照明するための載置用物品ホルダー型に形成された投影型照明装置である。この投影型照明装置１は、例えば図１に示すように、食卓等のテーブル面Ｔ上に載置される円板形底部から上方へ向けて略倒立円錐形に延びた例えば非透明のガラス製もしくは合成樹脂製等の台座状のカップホルダーとしてのホルダー本体Ｐと、このホルダー本体Ｐの上部開口側に着脱自在に装着される無色透明・有色透明・非透明のガラス製もしくは合成樹脂製等の載置用物品としての例えば把手部付きのカップ体Ｑとから構成されている。
【０００８】
尚、本実施の形態においては、投影型照明装置を食卓テーブル上に載置されるカップ体Ｑを着脱自在、取り外し自在に載せるためにカップホルダー型に形成してあるが、本発明はこれに限定されるものではなく、カップ体Ｑ以外の例えば、ランタン型ステンドグラス・ガラス人形・花瓶・鉢・その他の諸種の造形物品等を載せておくためのホルダー本体Ｐとして形成しても良い。また、本実施の形態における投影型照明装置１を、懐中電灯、広告照明用・飾り照明用等の照明器具、投影玩具等の投影器具とする等のホルダー型以外の形態に利用しても良く、少なくとも外部に鮮明な所定形状のシルエットを投影することのできる携帯・吊り下げ・置物等の使用に適した投影型照明装置であって良いのである。
【０００９】
図２乃至図４に示すように、ホルダー本体Ｐの円板形底部の例えば中央側には、光源２用の電源３としての例えばボタン型電池を収容する電池収容部４Ａが形成された蓋状の電池ボックス体４がネジ部材によって着脱可能に固定されている。この電池収容部４Ａの深さ寸法は電池ボックス体４自体がホルダー本体Ｐの内部に突出しない程度の深さ寸法とすることが好ましく、このため光源２用の電源３自体はできるだけ肉厚の薄い小型のボタン型電池を使用している。また電池ボックス体４に隣接した部位には、繰り返しのプッシュ操作によりスイッチがＯＮ−ＯＦＦの２つの位置に交互に移動する自己復旧式のプッシュスイッチ部５が設けられている。
【００１０】
そして電池収容部４Ａの直上における中央側には例えば豆電球もしくはＬＥＤ等の光源２を着脱可能に保持するソケット部６が設けられている。プッシュスイッチ部５の１回目のプッシュ動作により導通可能とする端子は、電池収容部４Ａの上側に配線される導体に接続されたソケット部６側の端子と電気的に接続されており、双方が導通状態になると光源２用の電源３から光源２に対し電流が流れて発光するものとしてある。また、２回目のプッシュ動作により端子は、電池収容部４Ａの上側に配線される導体に接続されたソケット部６側の端子と電気的に非接続状態となり、双方が非導通状態になると光源２用の電源３から光源２に対し電流が流れなくなって消灯するものとなる。
【００１１】
ホルダー本体Ｐの倒立円錐形側面の一部周囲には、光源２から発する光をホルダー本体Ｐの放射状周囲へ、例えばテーブル面Ｔに向けて照射するための透光面部７が形成されている。この透光面部７は、完全透明、有色性の半透明乃至透明的、もしくは光透過可能である有色性の非透明のガラスや合成樹脂等を用いて構成され、光源２の周囲を包囲した状態で配置されるものである。
【００１２】
さらにこの透光面部７には、表裏面を問わず直接的に、更には全面的にであっても良いが、少なくとも一部に光透過性を有する塗料等を用いてアニメーション・実在人物等のキャラクタ、熊・ウサギ・犬・猫・鼠等のアニマル、種々のフラワー、もしくは諸種の他のデザイン性を有する所要の有色あるいは無色もしくは彩度のみ等の模様を施しても良い。光源２が点灯した場合には、有色あるいは無色の模様を伴う光が外方に投光されて所要の対象物、例えば食卓のテーブル面Ｔ等に光の模様の像が投影、映写されるものとなり、周囲の環境に光の装飾性を持たせることとなる。
【００１３】
あるいは透光面部７に対し、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設して構成しても良い。この場合、一定平面のフィルムに対し所要の印刷技術で有色あるいは無色の模様を施すことが可能となり、生産性を高めるのに都合が良い。そしてこの場合、フィルムの内側に例えば接着剤等を塗布して半硬化した後に製造時において剥がされるシートを貼り付けて本体の生産に対応しても良い。
【００１４】
ホルダー本体Ｐには、光源２の位置する放射状周囲の内底面側と、カップ体Ｑが装着される上部開口側との間で、光源２の光を繰り返し反射させて透光面部７側へ導光させるべく一対の反射体８，９を設けてある。すなわちホルダー本体Ｐにおけるハウジング部分の内底側とカップ体Ｑが装着される上部開口側には、例えばアルミニウムやステンレス等の光の反射性のある金属、銀メッキされた樹脂、もしくはガラス鏡等を用いた一対の反射体８，９をそれぞれ装着することが可能となるようにしてある。
【００１５】
具体的には、ハウジング部分の内底部中心側に配した光源２を回避した状態でソケット部６が上側に突出するよう中心に開口部８Ａを形成し、且つ上側に向けて凸状となるように湾曲した円弧面状の下側反射体８が、周囲の環状縁部をハウジング部分の内底縁部に係合されることで着脱自在に装着されるものとしてある。この下側反射体８の湾曲面は中央の光源２の光を上側へ向けて反射させるものである。
【００１６】
一方、ハウジング部分の上部開口側の内周縁部に形成した環状の段差部１１には、中央に後述する投影用開口部９Ａを形成し、且つ周縁部には断面Ｌ字型の係合筒部９Ｂを有すると共に下側に向けて凸状となるように湾曲して成る円弧面状の上側反射体９が当該係合筒部９Ｂ縁側を段差部１１に係架させるようにして装着されている。この上側反射体９の湾曲面は下側中央の光源２の光を下側へ向けて反射させるものである。そしてこの上からハウジング部分の上部開口側にカップ体Ｑが装着された際に、カップ体Ｑの下面側に形成した環状突起部１２に囲繞されている円形凹部１２Ｃ内に上側反射体９周縁の係合筒部９Ｂが挿入されるものとしてある。
【００１７】
しかもこのとき環状突起部１２の外周の例えば２箇所に円弧に沿って形成された各係合突起１２Ａが、ハウジング部分の上部開口側の内周縁部に円弧に沿って形成した正面視略Ｌ字状の被係合部１１Ａに能動的に係合することで上部開口側の段差部１１にカップ体Ｑの環状突起部１２が着脱自在の嵌着を維持可能にすると同時に、上側反射体９周縁の係合筒部９Ｂ縁端側に外方側へ向けて突出形成した環状フランジ部９Ｃがハウジング部分の上部開口側の段差部１１と、カップ体Ｑの下面側の環状突起部１２とによって挟持固定されるようにしてある。
【００１８】
ホルダー本体Ｐの上部開口側の上側反射体９の中央側には、光源２の光を外部上方側、例えば天井Ｓ側に向けてある程度の指向性をもって投光するためのデザイン性を有する所要形状の模様切欠部分による投影用開口部９Ａが形成されている。また投影用開口部９Ａには、光透過性を有するアニメーション・実在人物等のキャラクタ、熊・ウサギ・犬・猫・鼠等のアニマル、種々のフラワー、もしくは諸種の他のデザイン性を有する所要形状の模様切欠部分を有する円形状のマスク体（図示せず）を配設し、このマスク体には、無色性もしくは有色性の透明フイルムＦ１、または光透過性を有する有色性の非透明フィルムＦ２を貼設して構成しても良い。
【００１９】
また図３に示すように、環状突起部１２の付根部外周には周状に沿って環状溝部１２Ｂが形成され、この環状溝部１２Ｂに例えばＯリング等の防水性を備えたパッキン部材１０が嵌め込まれることにより、ハウジング部分の上部開口側にカップ体Ｑが若干きつめの状態で装着されるようにしてある。これによりカップ体Ｑが防水性のパッキン部材１０を介して上部開口側に水密嵌合状に装着されるものとなり、カップ体Ｑ内部に入れられる飲料その他の液体がたとえ溢れたとしてもホルダー本体Ｐ内部への液体の浸入を防止できるようにしてある。
【００２０】
次に以上のように構成された実施の形態についての組付け、および使用の一例を説明するに、図２に示すように、光源２用の電源３としての例えばボタン型電池を電池収容部４Ａに収容した電池ボックス体４をホルダー本体Ｐの円板形底部に装着してネジ部材によって固定する。そしてホルダー本体Ｐのハウジング内底部における中央側のソケット部６に例えば豆電球もしくはＬＥＤ等の光源２を装着する。さらに、ハウジング部分の内底部中心側に配した光源２を回避した状態で円弧面状の下側反射体８を、周囲の環状縁部がハウジング部分の内底縁部に係合されるようにして装着する。
【００２１】
一方、ハウジング部分の上部開口側の段差部１１に対し、円弧面状の上側反射体９の係合筒部９Ｂ縁端側に形成した環状フランジ部９Ｃを係架させ、この上からハウジング部分の上部開口側に対しカップ体Ｑを装着する。このときカップ体Ｑの環状突起部１２の外周の環状溝部１２Ｂに例えばＯリング等の防水性を備えたパッキン部材１０を嵌め込んでおく。こうすることによりカップ体Ｑの下面側に形成した環状突起部１２に囲繞されている円形凹部１２Ｃ内に上側反射体９周縁の係合筒部９Ｂが挿入配置され、環状突起部１２外周の各係合突起１２Ａが、ハウジング部分の上部開口側内周縁部の被係合部１１Ａに能動的に係合することでカップ体Ｑの環状突起部１２が上部開口側の段差部１１に嵌着保持されると同時に、上側反射体９周縁の係合筒部９Ｂ縁端側の環状フランジ部９Ｃがハウジング部分の上部開口側の段差部１１と、カップ体Ｑの下面側の環状突起部１２とによって挟持された状態で保持固定される。
【００２２】
本実施の形態の使用に際し、図１に示すように、プッシュスイッチ部５の１回目のプッシュ動作により導通可能とする端子は、電池収容部４Ａの上側に配線される導体に接続されたソケット部６側の端子と電気的に接続されており、双方が導通状態になると光源２用の電源３から光源２に対し電流が流れて当該光源２は発光する。このとき、光源２の光はホルダー本体Ｐの一対の反射体（８，９）により、光源２の位置する放射状周囲の内底面側とカップ体Ｑが装着される上部開口側との間で繰り返し反射されて明かりを増幅しながらホルダー本体Ｐの倒立円錐形側面の一部周囲に形成された透光面部７側へ導光され、光源２から発する光をホルダー本体Ｐの放射状周囲へ、例えばテーブル面Ｔに向けて照射する。
【００２３】
こうして透光面部７に施された光透過性を有するキャラクタ、アニマル、フラワー、もしくは諸種の他のデザイン性を有する所要の模様を反映した模様の光は外界の対象物、例えば食卓等のテーブル面Ｔに映し出されて、外界の対象物に独特な光の装飾性を与える。また透光面部７に対し、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設した場合においても、上述と同様に外界の対象物に独特な光の装飾性を与える。
【００２４】
さらにホルダー本体Ｐの上部開口側の反射体に施されたデザイン性を有する投影用開口部９Ａからも当該デザインに対応する光がカップ体Ｑを通して上方の対象物に対しある程度の指向性をもって照射され、例えば食卓における天井Ｓ側に対しカラフルでユニークなデザイン性を有する模様を映し出し、外界上方の対象物に独特な光の装飾性を付与させる。このときカップ体Ｑに液体が入っていれば、液体の屈折率によって天井Ｓに映し出された模様が大きく変化したり、あるいは液体表面の揺動によって天井Ｓ側に映し出された模様に対し揺らぎが発生したりする等、さらに装飾効果が高められる。
【００２５】
また、使用しないときは、２回目のプッシュ動作により端子は、電池収容部４Ａの上側に配線される導体に接続されたソケット部６側の端子と電気的に非接続状態となり、双方が非導通状態になると光源２用の電源３から光源２に対し電流が流れなくなって消灯状態となる。
【００２６】
更には使用によって汚損されたカップ体Ｑは、ホルダー本体Ｐから取り外して洗浄するのであり、洗浄後はパッキン部材１０を嵌め込んで再びホルダー本体Ｐに接続固定し、従前と同様に使用すればよい。
【００２７】
【発明の効果】
本発明は以上のように構成されているために、例えば食卓等のテーブル面Ｔにおいて光源２の光の利用率を高めると共に、光源２の周囲をもキャラクタ等の光の有色あるいは無色模様を含め所要の明るさで投光するを可能にして、光源２周囲の装飾性を高め、且つ他の一方向へも指向性のあるキャラクタ等の光の有色模様を投光することができる。
【００２８】
すなわちこれは本発明が、無色透明・有色透明・非透明等の載置用物品（Ｑ）を着脱自在に装着可能とする台座状のホルダー本体Ｐの内部に光源２および光源２用の電源３を備え、光源２から発する光をホルダー本体Ｐの放射状周囲へ照射すべく当該ホルダー本体Ｐ周囲に透光面部７を備えたからであり、これにより、透光面部７内で明るさを増した光を当該透光面部７から外界の周囲の対象物に対し投光することができ、この結果として、この光の投光で外界の対象物に光の装飾性を付与させることができる。
【００２９】
また、光源２から発する光をホルダー本体Ｐの放射状周囲へ照射すべく当該ホルダー本体Ｐ周囲に透光面部７を備えたので、ホルダー本体Ｐの透光面部７内の明るさを増し、その増光された光を透光面部７から外界の周囲の対象物、例えば食卓等のテーブル面Ｔに対し投光することができ、この結果として、この光の投光で外界の対象物である例えば食卓に光の装飾性を付与させることができる。
【００３０】
また、透光面部７に対し、光透過性を有するキャラクタ、アニマル、フラワー、もしくは諸種の他のデザイン性を有する所要の模様を施してあるので、透光面部７に施された模様を反映した光の模様を外界の周囲の対象物、例えば食卓等のテーブル面Ｔに映し出すことが可能となって、この点からも外界の対象物に独特な光の装飾性を与えることができる。
【００３１】
透光面部７に対し、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設したので、上述と同様に外界の対象物に独特な光の装飾性を与えることができる。
【００３２】
ホルダー本体Ｐには、光源２の位置する放射状周囲の内底面側と、カップ体Ｑが装着される上部開口側との間で、光源２の光を繰り返し反射させて透光面部７側へ導光させるべく一対の反射体８，９を設けてあるので、光源２を発光させた際に、当該光は一対の反射体８，９により内底面側と上部開口側との間で繰り返し反射されてホルダー本体Ｐの透光面部７内の明るさを増し、その増光された光が透光面部７を透過して外界の周囲の対象物、例えば食卓等のテーブル面Ｔに投光されるものとなって食卓に光の装飾性を付与させることができる。
【００３３】
ホルダー本体Ｐの上部開口側の上側反射体９には、デザイン性を有する所要形状の投影用開口部９Ａが形成されているので、当該デザインに対応する光がカップ体Ｑを通して上方の対象物に対しある程度の指向性をもって照射されるようになり、例えば食卓における天井Ｓ側に対しデザイン性を有する所要形状の模様を映し出し、この外界上方の対象物にも独特な光の装飾性を付与させることができる。
【００３４】
投影用開口部９Ａには、光透過性を有するキャラクタ、アニマル、フラワー、もしくは諸種の他のデザイン性を有する所要の模様を形成した無色性もしくは有色性の透明フイルムＦ１、または光透過性を有する有色性の非透明フィルムＦ２を貼設してあるので、当該デザインに対応する光がカップ体Ｑを通して上方の対象物、例えば食卓における天井Ｓ側に対し更にカラフルでユニークなデザイン性を有する模様を映し出すことができ、この外界上方の対象物に対し独特な光の装飾性を付与させることができる。
【００３５】
カップ体Ｑは、ホルダー本体Ｐに対し防水性のパッキン部材１０を介して水密嵌合状に装着されるものとしてあるので、カップ体Ｑ内部に入れられる液体が溢れてもホルダー本体Ｐ内部への液体の浸入を防止することができる。しかも、カップ体Ｑはホルダー本体Ｐに対し着脱可能であるため、ホルダー本体Ｐ内部の汚れも容易に洗浄、清掃することができる。
【図面の簡単な説明】
【図１】本発明の一実施の形態における投影型照明装置の具体的構成の使用状態を示す斜視図である。
【図２】同じく具体的構成の分解斜視図である。
【図３】同じく使用状態の断面図である。
【図４】同じく分解状態の一部切欠斜視図である。
【符号の説明】
Ｓ…天井　　　　　　　　　　　　　　Ｔ…テーブル面
Ｐ…ホルダー本体　　　　　　　　　　Ｑ…カップ体
Ｆ１…透明フィルム　　　　　　　　　Ｆ２…非透明フィルム
１…投影型照明装置　　　　　　　　　２…光源
３…電源　　　　　　　　　　　　　　４…電池ボックス体
４Ａ…電池収容部　　　　　　　　　　５…プッシュスイッチ部
６…ソケット部　　　　　　　　　　　７…透光面部
８…下側反射体　　　　　　　　　　　８Ａ…開口部
９…上側反射体　　　　　　　　　　　９Ａ…投影用開口部
９Ｂ…係合筒部　　　　　　　　　　　９Ｃ…環状フランジ部
１０…パッキン部材　　　　　　　　　１１…段差部
１１Ａ…被係合部　　　　　　　　　　１２…環状突起部
１２Ａ…係合突起　　　　　　　　　　１２Ｂ…環状溝部
１２Ｃ…円形凹部
【図１】
2004087160.tif 000003
【図２】
2004087160.tif 000004
【図３】
2004087160.tif 000005
【図４】
2004087160.tif 000006